【事件の表示】
　特許第２７１６８９１号「インクジェットプリンタ」の請求項１ないし３に係る特許に対する特許異議の申立てについて、次のとおり決定する。
【結論】
　訂正を認める。
　特許第２７１６８９１号の請求項１ないし３に係る特許を維持する。
【理由】
１・手続の経緯
　本件特許第２７１６８９１号の請求項１ないし３に係る発明は、平成３年９月１３日に特許出願され、平成９年１１月７日にその特許の設定登録がなされ、その後、星野明、宮城真智子及び黒田義治より特許異議の申立てがなされ、平成１０年１１月１０日付け（平成１０年１２月１日発送）で取消理由通知がなされ、その指定期間内である平成１１年１月２９日付けで訂正請求がなされ、平成１１年４月２０日付け（平成１１年６月８日発送）で訂正拒絶理由通知がなされ、その指定期間内である平成１１年８月４日付けで前記訂正請求を補正する手続補正がなされたものである。
２・訂正の適否についての判断
（１）補正の適否
　上記補正は、訂正明細書の特許請求の範囲の【請求項１】の構成をさらに具体的に限定し、それに伴う明りょうでない記載の釈明をするものであるから、訂正請求書の要旨を変更するものではない。
（２）訂正（平成１１年８月４日付け手続補正で補正されたもの。以下同じ）の内容
　訂正は、
明細書の特許請求の範囲の請求項１ないし３を「【請求項１】インク貯蔵部とインクジェットプリンタヘッドとを有するカートリッジを着脱自在に保持するクランプが設けられたキャリアと、このキャリアを往復動自在に案内する案内部と、この案内部の端部近傍に移動する前記インクジェットプリンタヘッドのノズルに対して接離自在に設けられたキャップ装置と、このキャップ装置と前記キャリアとを覆うカバーとを有し、前記カートリッジを交換可能であるインクジェットプリンタにおいて、前記キャリアの移動方向において前記キャップ装置とは離れた中央位置に位置され前記カートリッジ交換時において前記キャップ装置に手を触れることがないように少なくとも前記カートリッジよりやや大きい寸法をもって前記カバーに形成された開口部と、この開口部に開閉自在に設けた蓋と、この蓋の開放動作を検出してカートリッジ交換モードを設定する入力部と、印字動作に伴う指令信号に応じて前記キャリアを駆動するとともに前記入力部によるカートリッジ交換モードの設定の信号が入力された時に前記キャリアを前記開口部と対向する位置に移動させる駆動部とよりなることを特徴とするインクジェットプリンタ。
　【請求項２】インク貯蔵部とインクジェットプリンタヘッドとを有するカートリッジを着脱自在に保持するクランプが設けられたキャリアと、このキャリアを往復動自在に案内する案内部と、この案内部の端部近傍に移動する前記インクジェットプリンタヘッドのノズルに対して接離自在に設けられたキャップ装置と、このキャップ装置と前記キャリアとを覆うカバーとを有し、前記カートリッジを交換可能であるインクジェットプリンタにおいて、前記キャリアの移動方向において前記キャップ装置とは離れた位置に位置され前記カートリッジ交換時において前記キャップ装置に手を触れることがないように少なくとも前記カートリッジよりやや大きい寸法をもって前記カバーに形成された開口部と、カートリッジ交換モードを設定する入力部と、印字動作に伴う指令信号に応じて前記キャリアを駆動するとともに前記入力部によるカートリッジ交換モードの設定の信号が入力された時に前記キャリアを前記開口部と対向する位置に移動させる駆動部とよりなり、前記キャリアの前記キャップ装置側の一側に前記カートリッジを保持するクランプの操作部を設けたことを特徴とするインクジェットプリンタ。
　【請求項３】カバーの開口部に蓋を開閉自在に設けたことを特徴とする請求項２記載のインクジェットプリンタ。」
と訂正し、　
明細書の発明の詳細な説明を特許請求の範囲の訂正に伴い訂正するものである。
（３）訂正の目的の適否、新規事項の有無及び拡張・変更の存否
　上記訂正は、特許請求の範囲の減縮及び明りょうでない記載の釈明に該当し、新規事項の追加に該当せず、実質的に特許請求の範囲を拡張又は変更するものではない。
（４）独立特許要件の判断
　下記３・特許異議の申立てについての判断に記すように、請求項１ないし３に係る各発明は、刊行物１ないし５に記載された発明に基いて当業者が容易に発明をすることができたものとはいえず、又、先願明細書１及び２に記載された発明と同一であるということもできないから、特許出願の際独立して特許を受けることができるものである。
（５）むすび
　以上のとおり、上記訂正請求は、特許法の一部を改正する法律（平成６年法律第１１６号）附則第６条第１項の規定によりなお従前の例によるとされる特許法第１２０条の４第２項及び同条第３項で準用する平成６年改正前同法第１２６条第１〜３項の規定に適合するから、当該訂正を認める。
３・特許異議の申立てについての判断
（１）各申立人の申立ての理由の概要
▲１▼星野明は、甲第１号証（実願昭６１−１３７３９３号（実開昭６３−４３７５８号）のマイクロフィルム）を提出し、請求項１ないし３に係る各発明は、特許法第２９条第２項の規定に違反して特許されたものであるから、その特許は取り消されるべきである旨主張している。
▲２▼宮城真智子は、甲第１号証（特願平２−１９０５５６号（特開平４−７８５６５号公報））を提出し、請求項１及び３に係る各発明は、特許法第２９条の２の規定に違反して特許されたものであるから、その特許は取り消されるべきである旨主張している。
▲３▼黒田義治は、甲第１号証（特開昭６０−２５５４７３号公報）、甲第２号証（特開昭６２−７７９４２号公報）、甲第３号証（特開平３−１０４６７７号公報）、甲第４号証（特開昭６１−１４６５８１号公報）を提出し、請求項１ないし３に係る各発明は、特許法第２９条第２項の規定に違反して特許されたものであるから、その特許は取り消されるべきものである旨、又、甲第５号証（特願平３−８５２９５号（特開平４−３１６８５６号公報））を引用し、請求項１ないし３に係る各発明は、特許法第２９条の２の規定に違反して特許されたものであるから、その特許は取り消されるべきである旨、主張している。
（２）特許法第２９条第２項違反の主張について
▲１▼各申立人が引用した甲号各証の刊行物に記載された発明（なお、記載に当たっては各甲号証刊行物の部材名を用い、本件発明の対応する部材名を括弧内に、最初のもののみ、記す）
イ・星野明の甲第１号証；実願昭６１−１３７３９３号（実開昭６３−４３７５８号）のマイクロフィルム（以下、「刊行物１」という。）には、「印字ヘッド５３（インク貯蔵部とインクジェットプリンタヘッドとを有するカートリッジ）を着脱自在に保持するクランプが設けられた印字ヘッドホルダ１３（キャリア）と、この印字ヘッドホルダ１３を往復動自在に案内するロッド４３及び４５（案内部）と、このロッド４３及び４５の端部近傍に移動する前記印字ヘッド５３のノズルに対して接離自在に設けられたノズル蓋５５（キャップ装置）と、このノズル蓋５５と前記印字ヘッドホルダ１３とを覆う上カバー２９（カバー）とを有し、前記印字ヘッド５３を交換可能であるインクジェットプリンタにおいて、上カバー２９の開放動作をオープンセンサ７１で検出し、ヘッド交換スイッチ５７（入力部）をオンすることにより印字ヘッド５３交換モードを設定し、印字動作に伴う指令信号に応じて前記印字ヘッドホルダ１３を駆動するとともに前記ヘッド交換スイッチ５７による印字ヘッド５３交換モードの設定の信号が入力された時に前記印字ヘッドホルダ１３を交換位置に移動させるモータ（駆動部）とよりなるインクジェットプリンタ」
を構成とする発明が記載されているものと認められる。
ロ・黒田義治の甲第１号証；特開昭６０−２５５４７３号公報（以下、「刊行物２」という。）には、明細書、特に、第１頁右下欄第４，５行「インクカセットから供給されるインクを噴射するインクジェット式のプリンタ等に適用できる」なる記載及び第２図の記載からみて、
「インク貯蔵部とインクジェットプリンタヘッドとを有するカートリッジを着脱自在に保持するクランプが設けられたキャリッジ５（キャリア）と、このキャリッジ５を往復動自在に案内するガイド軸３及び４（案内部）と、前記キャリッジ５を覆う上カバー（カバー）とを有し、前記カートリッジを交換可能であるインクジェットプリンタにおいて、前記上カバーに、前記上カバーの幅よりやや小さい寸法をもって形成された開口部１０と、カートリッジ交換モードを設定する検出部９（入力部）と、印字動作に伴う指令信号に応じて前記キャリッジ５を駆動するとともに前記検出部９によるカートリッジ交換モードの設定の信号が入力された時に前記キャリッジ５をプラテンのほぼ中央へ移動させるキャリッジモータ１３（駆動部）とよりなるインクジェットプリンタ」
を構成とする発明が記載されているものと認められる。
ハ・黒田義治の甲第２号証；特開昭６２−７７９４２号公報（以下、「刊行物３」という。）には、「記録ヘッド５（インク貯蔵部とインクジェットプリンタヘッドとを有するカートリッジ）を着脱自在に保持するクランプが設けられたキャリッジ４（キャリア）と、このキャリッジ４を往復動自在に案内するガイドシャフト３（案内部）と、このガイドシャフト３の端部近傍に移動する前記記録ヘッド５のノズルに対して接離自在に設けられたキャップ装置７とを有し、前記記録ヘッド５を交換可能であるインクジェットプリンタにおいて、記録ヘッド５交換モードを設定する特定のキー１５（入力部）と、印字動作に伴う指令信号に応じて前記キャリッジ４を駆動するとともに前記特定のキー１５による記録ヘッド５交換モードの設定の信号が入力された時に前記キャリッジ４を所定の位置に移動させるキャリッジモータ１０（駆動部）とよりなるインクジェットプリンタ」
を構成とする発明が記載されているものと認められる。
ニ・黒田義治の甲第３号証；特開平３−１０４６７７号公報（以下、「刊行物４」という。）には、明細書及び第１図の記載によれば、
「インクタンク９ｂ（インク貯蔵部）と吐出エレメント９ａ（インクジェットプリンタヘッド）とを有する記録ヘッド９（カートリッジ）を着脱自在に保持するコンタクトフック６０３（クランプ）が設けられたキャリア６と、このキャリア６を往復動自在に案内するリードスクリュー２及びキャリアガイド軸５１（案内部）と、このリードスクリュー２及びキャリアガイド軸５１の端部近傍に移動する前記吐出エレメント９ａの天板４００（ノズル）に対して接離自在に設けられたキャップ装置３５と、装置ケース１０１（カバー）とを有し、前記記録ヘッド９を交換可能であるインクジェットプリンタにおいて、装置ケース１０１の幅寸法よりやや小さい寸法をもって前記装置ケース１０１のに形成された部分（開口部）と、この部分に開閉自在に設けた内蓋１０３（蓋）と、印字動作に伴う指令信号に応じて前記キャリア６を駆動するキャリアモータ１１（駆動部）とよりなり、前記キャリア６の前記キャップ装置３５側の一側に前記記録ヘッド９を保持するコンタクトフック６０３のコンタクトレバー６０２（操作部）を設けたインクジェットプリンタ」
を構成とする発明が記載されているものと認められる。
ホ・黒田義治の甲第４号証；特開昭６１−１４６５８１号公報（以下、「刊行物５」という。）には、明細書及び第２図の記載によれば、
「リボン１５を着脱自在に保持するクランプが設けられたキャリッジ１２（キャリア）と、このキャリッジ１２を往復動自在に案内する案内部と、ミドルカバー１７（カバー）とを有し、前記リボン１５を交換可能であるプリンタにおいて、前記ミドルカバー１７の中央位置に前記ミドルカバー１７の幅寸法よりやや小さい寸法をもって形成された開口部と、この開口部に開閉自在に設けたトップカバー１１（蓋）と、このトップカバー１１の開放動作を検出してリボン交換モードを設定する入力部と、印字動作に伴う指令信号に応じて前記キャリッジ１２を駆動するとともに前記入力部によるリボン交換モードの設定の信号が入力された時に前記キャリッジ１２をプリンタの中央位置近くに移動させるキャリッジ送り回路部５５（駆動部）とよりなるプリンタ」
を構成とする発明が記載されているものと認められる。
▲２▼対比・判断
　そこで、本件請求項１に係る発明と上記刊行物１ないし５に記載された発明とを対比する。
　上記刊行物１ないし５には、カートリッジの交換時にキャップ装置に手が干渉し、キャップ装置が故障するのを未然に防止するという本件発明の課題又は効果が記載されておらず、上記刊行物１ないし５に記載された発明には、本件請求項１に係る発明の構成要件である
「このキャップ装置と前記キャリアとを覆うカバーに前記キャップ位置とは離れた位置に位置され前記カートリッジ交換時において前記キャップ装置に手を触れることがないように少なくとも前記カートリッジよりやや大きい寸法をもってカバーに形成された開口部」を有する点が備わっていない。
　そして、この点がインクジェットプリンタの技術の分野において周知ないし自明の技術的事項であるとも認められない。
　しかも、本件請求項１に係る発明は、この点を有することにより、明細書に記載された効果を奏するものと認められる。
　したがって、本件請求項１に係る発明は刊行物１ないし５に記載された発明に基いて当業者が容易に発明をすることができたものであるということはできない。
　又、請求項２及び３に係る発明も、上記請求項１に対すると同様の理由により、刊行物１ないし５に記載された発明に基いて当業者が容易に発明をすることができたものであるということはできない。
（３）特許法第２９条の２違反の主張について
▲１▼各申立人が引用した甲号各証の願書に最初に添付した明細書又は図面（先願明細書）に記載された発明（なお、記載に当たっては各甲号証の部材名を用い、本件発明の対応する部材名を括弧内に、最初のもののみ、記す）
イ・宮城真智子が甲第１号証として引用した先願明細書（以下、「先願明細書１」という。）には、「リボンカセット７を着脱自在に保持するカセット保持部材１２（クランプ）が設けられたキャリッジ８（キャリア）と、このキャリッジ８を往復動自在に案内するガイド軸１４及びガイド部材１５（案内部）と、前記キャリッジ８を覆う本体カバー４（カバー）とを有し、前記リボンカセット７を交換可能であるプリンタにおいて、前記キャリッジ８の移動方向に位置され少なくとも前記リボンカセット７よりやや大きい寸法をもって前記本体カバー４に形成されたリボン交換用窓１０（開口部）と、このリボン交換用窓１０に開閉自在に設けた窓カバー１６（蓋）と、この窓カバー１６の開放動作を検出してカートリッジ交換モードを設定する入力部と、印字動作に伴う指令信号に応じて前記キャリッジ８を駆動するとともに前記入力部によるリボンカセット７交換モードの設定の信号が入力された時に前記キャリッジ８を前記リボン交換用窓１０と対向する位置に移動させるキャリッジ駆動機構９（駆動部）とよりなるプリンタ」
を構成とする発明が記載されているものと認められる。
ロ・黒田義治が甲第５号証として引用した先願明細書（以下、「先願明細書２」という。）には、「インク貯蔵部とインクジェットプリンタヘッドとを有するカートリッジ８を着脱自在に保持するメカニカルロック（クランプ）が設けられたキャリッジ７（キャリア）と、このキャリッジ７を往復動自在に案内するガイド軸４（案内部）と、このガイド軸４の端部近傍に移動する前記インクジェットプリンタヘッドのノズルに対して接離自在に設けられたプライミング手段９（キャップ装置）と、このプライミング手段９を覆うプリンタケース１（カバー）とを有し、前記カートリッジ８を交換可能であるインクジェットプリンタにおいて、プラテン３の幅より大きい寸法をもって前記プリンタケース１に形成された開口部２と、カートリッジ８交換モードを設定するスイッチ１２及び電源スイッチ１１（入力部）と、印字動作に伴う指令信号に応じて前記キャリッジ７を駆動するとともに前記スイッチ１２及び電源スイッチ１１によるカートリッジ８交換モードの設定の信号が入力された時に前記キャリッジ７を印字領域の中央へ移動させるステッピングモータ（駆動部）とよりなるインクジェットプリンタ」
を構成とする発明が記載されているものと認められる。
▲２▼対比・判断
　そこで、本件請求項１に係る発明と先願明細書１に記載された発明とを対比するに、先願明細書１に記載された発明は、インクリボンを用いたプリンタ装置に関するものであるところ、本件請求項１に係る発明の構成要件である、「インクジェットプリンタヘッドのノズルに対して接離自在に設けられたキャップ装置と、前記キャップ装置とは離れた中央位置に位置され前記カートリッジ交換時において前記キャップ装置に手を触れることがないように少なくとも前記カートリッジよりやや大きい寸法をもって前記カバーに形成された開口部」が備わっていない。
　そして、この点がインクジェットプリンタの技術の分野において周知ないし自明の技術的事項であるとは認められない。
　又、本件請求項２及び３に係る発明と先願明細書１に記載された発明とを対比するに、先願明細書１に記載された発明には、本件請求項２及び３に係る発明の構成要件である、「キャリアの前記キャップ装置側の一側に前記カートリッジを保持するクランプの操作部を設けた」点が備わっていない。
　そして、この点がインクジェットプリンタの技術の分野において周知ないし自明の技術的事項であるとは認められない。
　したがって、本件請求項１ないし３に係る発明が先願明細書１に記載された発明と同一であるということはできない。
　次いで、本件請求項１に係る発明と先願明細書２に記載された発明とを対比するに、先願明細書２に記載された発明には、本件請求項１に係る発明の構成要件である、
「キャップ装置とは離れた中央位置に位置され前記カートリッジ交換時において前記キャップ装置に手を触れることがないように少なくとも前記カートリッジよりやや大きい寸法をもって前記カバーに形成された開口部と、この開口部に開閉自在に設けた蓋と、この蓋の開放動作を検出してカートリッジ交換モードを設定する入力部」が備わっていない。
　そして、この点がインクジェットプリンタの技術の分野において周知ないし自明の技術的事項であるとも認められない。
　又、本件請求項２及び３に係る発明と先願明細書２に記載された発明とを対比するに、先願明細書２に記載された発明には、本件請求項２及び３に係る発明の構成要件である、
「キャリアの前記キャップ装置側の一側に前記カートリッジを保持するクランプの操作部を設けた」点が備わっていない。
　そして、この点がインクジェットプリンタの技術の分野において周知ないし自明の技術的事項であるとは認められない。
　したがって、本件請求項１ないし３に係る発明が先願明細書２に記載された発明と同一であるということはできない。
（４）むすび
　以上のとおりであるから、本件請求項１ないし３に係る発明は、
星野明が引用した甲第１号証及び黒田義治が引用した甲第１ないし４号証の各刊行物に記載された発明に基いて当業者が容易に発明をすることができたものであるとも、
又、宮城真智子が引用した甲第１号証及び黒田義治が引用した甲第５号証の各先願明細書に記載された発明と同一であるとも、
いうことはできない。
　又、他に本件請求項１ないし３に係る発明の特許を取り消すべき理由を発見しない。
　よって、結論のとおり決定する。
【異議決定日】
平成１１年９月１６日（１９９９．９．１６）
【訂正の要旨】
訂正の要旨
　訂正は、
明細書の特許請求の範囲の請求項１ないし３を
「【請求項１】インク貯蔵部とインクジェットプリンタヘッドとを有するカートリッジを着脱自在に保持するクランプが設けられたキャリアと、このキャリアを往復動自在に案内する案内部と、この案内部の端部近傍に移動する前記インクジェットプリンタヘッドのノズルに対して接離自在に設けられたキャップ装置と、このキャンプ装置と前記キャリアとを覆うカバーとを有し、前記カートリッジを交換可能であるインクジェットプリンタにおいて、前記キャリアの移動方向において前記キャップ装置とは離れた中央位置に位置され前記カートリッジ交換時において前記キャップ装置に手を触れることがないように少なくとも前記カートリッジよりやや大きい寸法をもって前記カバーに形成された開口部と、この開口部に開閉自在に設けた蓋と、この蓋の開放動作を検出してカートリッジ交換モードを設定する入力部と、印字動作に伴う指令信号に応じて前記キャリアを駆動するとともに前記入力部によるカートリッジ交換モードの設定の信号が入力された時に前記キャリアを前記開口部と対向する位置に移動させる駆動部とよりなることを特徴とするインクジェットプリンタ。
　【請求項２】インク貯蔵部とインクジェットプリンタヘッドとを有するカートリッジを着脱自在に保持するクランプが設けられたキャリアと、このキャリアを往復動自在に案内する案内部と、この案内部の端部近傍に移動する前記インクジェットプリンタヘッドのノズルに対して接離自在に設けられたキャップ装置と、このキャップ装置と前記キャリアとを覆うカバーとを有し、前記カートリッジを交換可能であるインクジェットプリンタにおいて、前記キャリアの移動方向において前記キャップ装置とは離れた位置に位置され前記カートリッジ交換時において前記キャップ装置に手を触れることがないように少なくとも前記カートリッジよりやや大きい寸法をもって前記カバーに形成された開口部と、カートリッジ交換モードを設定する入力部と、印字動作に伴う指令信号に応じて前記キャリアを駆動するとともに前記入力部によるカートリッジ交換モードの設定の信号が入力された時に前記キャリアを前記開口部と対向する位置に移動させる駆動部とよりなり、前記キャリアの前記キャップ装置側の一側に前記カートリッジを保持するクランプの操作部を設けたことを特徴とするインクジェットプリンタ。
　【請求項３】カバーの開口部に蓋を開閉自在に設けたことを特徴とする請求項２記載のインクジェットプリンタ。」
と訂正し、
明細書の発明の詳細な説明を特許請求の範囲の訂正に伴い訂正するものである。
（５４）【発明の名称】
インクジェットプリンタ
（５７）【特許請求の範囲】
　　【請求項１】　インク貯蔵部とインクジェットプリンタヘッドとを有するカートリッジを着脱自在に保持するクランプが設けられたキャリアと、このキャリアを往復動自在に案内する案内部と、この案内部の端部近傍に移動する前記インクジェットプリンタヘッドのノズルに対して接離自在に設けられたキャップ装置と、このキャップ装置と前記キャリアとを覆うカバーとを有し、前記カートリッジを交換可能であるインクジェットプリンタにおいて、前記キャリアの移動方向において前記キャップ装置とは離れた中央位置に位置され前記カートリッジ交換時において前記キャップ装置に手を触れることがないように少なくとも前記カートリッジよりやや大きい寸法をもって前記カバーに形成された開口部と、
この開口部に開閉自在に設けた蓋と、この蓋の開放動作を検出して
　　【請求項２】　インク貯蔵部とインクジェットプリンタヘッドとを有するカートリッジを着脱自在に保持するクランプが設けられたキャリアと、このキャリアを往復動自在に案内する案内部と、この案内部の端部近傍に移動する前記インクジェットプリンタヘッドのノズルに対して接離自在に設けられたキャップ装置と、このキャップ装置と前記キャリアとを覆うカバーとを有し、前記カートリッジを交換可能であるインクジェットプリンタにおいて、前記キャリアの移動方向において前記キャップ装置とは離れた位置に位置され前記カートリッジ交換時において前記キャップ装置に手を触れることがないように少なくとも前記カートリッジよりやや大きい寸法をもって前記カバーに形成された開口部と、カートリッジ交換モードを設定する入力部と、印字動作に伴う指令信号に応じて前記キャリアを駆動するとともに前記入力部によるカートリッジ交換モードの設定の信号が入力された時に前記キャリアを前記開口部と対向する位置に移動させる駆動部とよりなり、前記キャリアの前記キャップ装置側の一側に前記カートリッジを保持するクランプの操作部を設けたことを特徴とするインクジェットプリンタ。
　　【請求項３】　カバーの開口部に蓋を開閉自在に設けたことを特徴とする請求
項２
【発明の詳細な説明】
　　【産業上の利用分野】
　本発明は、インクジェットプリンタに関する。
　　【従来の技術】
　インク貯蔵部とインクジェットプリンタヘッドとを有するカートリッジをキャリアに搭載し、キャリアを移動させてインクジェットプリンタヘッドからインクを飛翔させるインクジェットプリンタは、インクジェットフリンタヘッドのノズルに目詰りが生ずるとインクを飛翔させることができないため、一般にはカートリッジをキャリアとともに印字領域外に移動させた時にノズルをキャップで覆うキャップ装置を有している。また、カートリッジは交換し得るようにキャリアに対して着脱自在に保持されている。
　　【発明が解決しようとする課題】
　従来のインクジェットプリンタは、任意位置でキャリア上のカートリッジを交換することができるため、その交換時にキャップ装置に手が干渉し、キャップ装置が故障するおそれがある。このことを防止するためにキャップ装置を遮蔽物で覆うと、ノズルに対してキャップ装置を着脱させるための構造が複雑化する問題がある。
　　【課題を解決するための手段】
　請求項１の発明は、インク貯蔵部とインクジェットプリンタヘッドとを有するカートリッジを着脱自在に保持するクランプが設けられたキャリアと、このキャリアを往復動自在に案内する案内部と、この案内部の端部近傍に移動する前記インクジェットプリンタヘッドのノズルに対して接離自在に設けられたキャップ装置と、このキャップ装置と前記キャリアとを覆うカバーとを有し、前記カートリッジを交換可能であるインクジェットプリンタにおいて、前記キャリアの移動方向において前記キャップ装置とは離れた中央位置に位置され前記カートリッジ交換時において前記キャップ装置に手を触れることがないように少なくとも前記カートリッジよりやや大きい寸法をもって前記カバーに形成された開口部と、
この開口部に開閉自在に設けた蓋と、この蓋の開放動作を検出して
　請求項２の発明は、インク貯蔵部とインクジェットプリンタヘッドとを有するカートリッジを着脱自在に保持するクランプが設けられたキャリアと、このキャリアを往復動自在に案内する案内部と、この案内部の端部近傍に移動する前記インクジェットプリンタヘッドのノズルに対して接離自在に設けられたキャップ装置と、このキャップ装置と前記キャリアとを覆うカバーとを有し、前記カートリッジを交換可能であるインクジェットプリンタにおいて、前記キャリアの移動方向において前記キャップ装置とは離れた位置に位置され前記カートリッジ交換時において前記キャップ装置に手を触れることがないように少なくとも前記カートリッジよりやや大きい寸法をもって前記カバーに形成された開口部と、カートリッジ交換モードを設定する入力部と、印字動作に伴う指令信号に応じて前記キャリアを駆動するとともに前記入力部によるカートリッジ交換モードの設定の信号が入力された時に前記キャリアを前記開口部と対向する位置に移動させる駆動部とよりなり、前記キャリアの前記キャップ装置側の一側に前記カートリッジを保持するクランプの操作部を設けた。
　請求項３の発明は、請求
項２
　　【作用】
　請求項１の発明は、カートリッジをキャリアとともにカバーに沿って印字領域外に移動させた時にインクジェットプリンタヘッドのノズルをキャップ装置で覆うが、
蓋を開放して
　請求項２の発明は、キャリアのキャップ装置側の一側にカートリッジを保持するクランプの操作部が設けられているため、キャリアを印字領域外に移動させてノズルをキャップ装置で覆った時に、クランプの操作部を開口部から離れた位置に位置させることができ、これにより、ノズルをキャップ装置で覆った状態では操作部を操作することを不可能にし、したがって、キャップ装置に手が触れることをより有効に防止することができる。
　請求項３の発明は、
請求項２において、
　　【実施例】
　本発明の一実施例を図面に基づいて説明する。Ｉは筐体で、この筐体１には回転自在のプラテン２と案内部であるキャリアシャフト３とが平行に設けられ、キャリアシャフト３にはキャリア４が摺動自在に嵌合され、このキャリア４にはその左側に位置する操作部６を有してカートリッジ５を着脱自在に保持するクランプ７が設けられている。このカートリッジ５は、インク貯蔵部８とインクジェットプリンタヘッド（図示せず）とを有し、このインクジェットプリンタヘッドはインク貯蔵部８に連通する複数のノズルを有している。さらに、前記キャリアシャフト３の左端付近（印字領域外）には、インクジェットプリンタヘッドのノズルを覆うキャップ９と、このノズルの表面を清掃するワイパー（図示せず）と、ノズルのインクを吸引するポンプ（図示せず）とを有するキャップ装置１０が設けられている。このキャップ装置１０はキャリア４の印字領域外への移動動作に連動してキャップ９をインクジェットプリンタヘッドのノズルを覆う方向に移動させる公知のものである。
　しかして、前記筐体１は前記キャリア４や前記キャップ装置１０や他の内部機構を覆うカバー１２を有し、このカバー１２の前方の中央部には、前記カートリッジ５よりやや大きい寸法の開口部１１が形成されている。また、開口部１１には蓋１３が開閉自在に取り付けられている。さらに、カバー１２の一側には、ソフトパワースイッチ１４と、カートリッジ交換モードを設定する入力部であるモードスイッチ１５とを有する操作部１６が設けられている。なお、印字動作に伴うホストコンピュータからの指令信号に応じて前記キャリア４を駆動するとともに前記モードスイッチ１５から出力される信号を入力してキャリア４を前記開口部１１と対向する位置に移動させる駆動部（図示せず）が前記筐体１に設けられている。
　さらに、前記筐体１には電源コード１７が設けられている。この電源コード１７は電源スイッチを介することなく筐体１内の電源部（図示せず）に直接接続されている。この電源部は、用紙送り部（図示せず）、インクジェットプリンタヘッド、前述したキャリア４の駆動部に駆動電圧を供給するもので、信号制御系に低電圧電源を供給する低電圧電源を有している。
　このような構成において、キャップ装置１０は常時カバー１２により覆われる。電源コードを商用電源に接続している状態では、筐体１の電源部には常時電圧が供給されている。このため、ソフトパワースイッチ１４をＯＮにしている限りは、信号制御系には各部の動作を制御するための低電圧が供給される。
　印字に際しては、用紙送り部、インクジェットプリンタヘッド、キャリア４の駆動部がホストコンピュータからの指令信号により動作する。すなわち、キャリア４を駆動部によりプラテン２に沿って移動させる過程でインクジェットプリンタヘッドを駆動することにより印字がなされ、プラテン２や用紙送り部を駆動することにより紙送りがなされる。そして、キャリア４が左方の印字領域外に移動するとキャップ装置１０が駆動され、そのキャップ装置１０のキャップ９によりインクジェットプリンタヘッドのノズルを覆う。これにより、ノズルの目詰りを防止することができる。
　カートリッジ５の交換に際しては、モードスイッチ１５をＯＮにしてカートリッジ交換モードを設定する。この時のモードスイッチ１５の信号により、駆動部がキャリア４を開口部１１と対向する位置まで移動させる。この動作に連動してキャップ装置１０がインクジェットプリンタヘッドから退避される。したがって、操作部６を把持してクランプ７を解除方向に動作させることにより、キャップ装置１０に手が触れることなくキャリア４上のカートリッジ５を容易に交換することができる。これにより、キャップ装置１０に手が触れることによるキャップ装置の故障を未然に防止することができる。さらに、クランプ７の操作部６はキャップ装置１０側のキャリア４の一側に設けられているため、キャリア４を印字領域外に移動させてノズルをキャップ装置１０で覆った時に、クランプ７の操作部６を開口部１１から離れた位置に位置させることができ、これにより、ノズルをキャップ装置１０で覆った状態では操作部６を操作することを不可能にし、したがって、キャップ装置１０に手が触れることをより有効に防止することができる。
　さらに、通常はカバー１２の開口部１１を蓋１３で覆うことができ、これにより、印字中にキャリア４やカートリッジ５に手が触れることを回避することができる。
　さらに、モードスイッチ１５に代えて蓋１３の開放動作を検出する検出器（図示せず）を設けることにより、カートリッジ５の交換に際して蓋１３を開放するだけで、検出器の検出信号によりキャリア４をカートリッジ５とともに開口部１１と対向する位置に移動させることができ、これにより、カートリッジ５の交換操作をさらに簡略化することができる。
　なお、モードスイッチ１５をＯＮにし、又はこのモードスイッチ１５に代えて設けられた検出器から蓋１３の開放動作を検出する検出信号を出力させることにより、ヘッド点検保守モードを入力し、これにより、キャリア４を開口部１１と対向する位置に移動させるようにしたが、モードスイッチ１５を再度操作してＯＮとし、又は蓋１３を閉じた時に検出器の検出信号を切り替え、或いはソフトパワースイッチ１４をＯＦＦにした時に、これらの信号によりキャリア４を印字領域外に移動させるように駆動部の動作を制御するようにしてもよい。
　　【発明の効果】
　請求項１の発明は、インク貯蔵部とインクジェットプリンタヘッドとを有するカートリッジを着脱自在に保持するクランプが設けられたキャリアと、このキャリアを往復動自在に案内する案内部と、この案内部の端部近傍に移動する前記インクジェットプリンタヘッドのノズルに対して接離自在に設けられたキャップ装置と、このキャップ装置と前記キャリアとを覆うカバーとを有し、前記カートリッジを交換可能であるインクジェットプリンタにおいて、前記キャリアの移動方向において前記キャップ装置とは離れた中央位置に位置され前記カートリッジ交換時において前記キャップ装置に手を触れることがないように少なくとも前記カートリッジよりやや大きい寸法をもって前記カバーに形成された開口部と、
この開口部に開閉自在に設けた蓋と、この蓋の開放動作を検出して
蓋を開放して
　請求項２の発明は、インク貯蔵部とインクジェットプリンタヘッドとを有するカートリッジを着脱自在に保持するクランプが設けられたキャリアと、このキャリアを往復動自在に案内する案内部と、この案内部の端部近傍に移動する前記インクジェットプリンタヘッドのノズルに対して接離自在に設けられたキャップ装置と、このキャップ装置と前記キャリアとを覆うカバーとを有し、前記カートリッジを交換可能であるインクジェットプリンタにおいて、前記キャリアの移動方向において前記キャップ装置とは離れた位置に位置され前記カートリッジ交換時において前記キャップ装置に手を触れることがないように少なくとも前記カートリッジよりやや大きい寸法をもって前記カバーに形成された開口部と、カートリッジ交換モードを設定する入力部と、印字動作に伴う指令信号に応じて前記キャリアを駆動するとともに前記入力部によるカートリッジ交換モードの設定の信号が入力された時に前記キャリアを前記開口部と対向する位置に移動させる駆動部とよりなり、前記キャリアの前記キャップ装置側の一側に前記カートリッジを保持するクランプの操作部を設けたので、キャリアを印字領域外に移動させてノズルをキャップ装置で覆った時に、クランプの操作部を開口部から離れた位置に位置させることができ、これにより、ノズルをキャップ装置で覆った状態では操作部を操作することを不可能にし、したがって、キャップ装置に手を触れることをより有効に防止することができる効果を有する。
　請求項３の発明は、請求
項２
【図面の簡単な説明】
　　【図１】
　本発明の一実施例を示す斜視図である。
　　【符号の説明】
　３　　　案内部
　４　　　キャリア
　５　　　カートリッジ
　６　　　操作部
　７　　　クランプ
　８　　　インク貯蔵部
　１０　　キャップ装置
　１１　　開口部
　１２　　カバー
　１３　　蓋
　１５　　入力部